(57)【要約】  【課題】  天井面に取付けられる空気調和機の梱包において、電装品箱を保護する保護部材と、電装品箱以外の側面を被う外装部材と、電装品箱の上下を被う緩衝材を備え、空気調和機本体を梱包した状態で側面から落下させてしまった場合でも、本体側面や電装品箱を損傷することなく保護できる梱包装置を提供する。  【解決手段】  箱型の外側の一側面に電装品箱３を備えた空気調和機本体１の底部及び天部に、それぞれ箱形外装体７、８を配置し、これら箱形外装体間をバンドで結束してなる梱包装置において、電装品箱を保護する保護部材４と、空気調和機本体の電装品箱取付以外の側面を被う外装部材５と、電装品箱の上下を被う平板状の緩衝材６とを備えた構成とした。  【選択図】図１
2008068894.tif 000002
【特許請求の範囲】
【請求項１】
側面に電装品箱を備えた空気調和機本体の底部及び天部に、それぞれ箱形外装体を配置し、これら箱形外装体間を結束部材で結束してなる梱包装置において、
前記電装品箱を保護する保護部材と、前記空気調和機本体の前記電装品箱取付以外の側面を被う外装部材と、前記電装品箱の上下を被う平板状の緩衝材とを備えてなることを特徴とする梱包装置。
【請求項２】
前記天部の箱形外装体の電装品箱側のコーナ部分を手掛け部としてなることを特徴とする請求項１に記載の梱包装置。
【請求項３】
前記保護部材および前記外装部材をダンボール板で形成してなることを特徴とする請求項１に記載の梱包装置。
【発明の詳細な説明】
【技術分野】
【０００１】
本発明は、天井面に取付けられる空気調和機の梱包装置に係わり、より詳細には、空気調和機本体を梱包した状態で落下させてしまった場合でも、本体側面に位置する電装品箱を保護できる梱包構造に関する。
【背景技術】
【０００２】
従来の天井面に取付けられる空気調和機の梱包装置として、図４および図５に示すようなものが知られている（例えば、特許文献１参照。）。
【０００３】
ユニット本体２２は、図４に示すように、梱包装置１００を用いて梱包される。この梱包装置１００は、ユニット本体２２の底部に配置される段ボール製の箱形外装体１０１と、ユニット本体２２の天部に配置される段ボール製の箱形外装体１０２を備え、これら箱形外装体１０１，１０２間を、複数のＰＰバンド１０３でユニット本体２２毎結束して構成される。
【０００４】
各箱形外装体１０１，１０２は、図５Ａに示すように、段ボール製の箱形外装部材１０５と、この箱形外装部材１０５の内側に配置される、一対の厚さが厚い段ボール製のコ字状の緩衝部材１０６が対向して配置される。この場合、緩衝部材１０６同士が当接する側の辺と、折り曲げ片１２１，１２２の形成された辺１２０Ａ，１２０Ｂとを一致させる。
【０００５】
そして、図５Ｂに示すように、緩衝部材１０６の立ち上がり部１０６Ａを抱き込むように、折り曲げ片１２１，１２２を、それぞれ内側に折り曲げることにより、この折り曲げ片１２１，１２２で、緩衝部材１０６を箱形外装部材１０５の内壁部に固定して完成する（図５Ｃ）。
【０００６】
しかしながら、上記構成の場合、ユニット本体２２の側面や電装品箱１３０は何ら保護されておらず、ユニット本体２２を側面から落下させてしまった場合、ユニット本体２２の側面や電装品箱１３０を損傷してしまうおそれがある。
【特許文献１】特開２００４−１５５４４０号公報（３〜４頁、図２，７）
【発明の開示】
【発明が解決しようとする課題】
【０００７】
本発明は、上記問題点に鑑み、天井面に取付けられる空気調和機の梱包において、電装品箱を保護する保護部材と、電装品箱以外の側面を被う外装部材と、電装品箱の上下を被う緩衝材を備え、空気調和機本体を梱包した状態で落下させてしまった場合でも、本体側面に位置する電装品箱を損傷することなく保護でき、かつ、保護部材及び外装部材はダンボール製であり、また緩衝材は平板状の発泡材を使用しているので、特別な金型を使用しないため、金型費用を節約できコスト的に有利となる梱包装置を提供することを目的とする。
【課題を解決するための手段】
【０００８】
本発明は、上記課題を解決するため、側面に電装品箱を備えた空気調和機本体の底部及び天部に、それぞれ箱形外装体を配置し、これら箱形外装体間を結束部材で結束してなる梱包装置において、
前記電装品箱を保護する保護部材と、前記空気調和機本体の前記電装品箱取付以外の側面を被う外装部材と、前記電装品箱の上下を被う平板状の緩衝材とを備えてなる構成となっている。
【０００９】
また、前記天部の箱形外装体の電装品箱側のコーナ部分を手掛け部としてなる構成となっている。
【００１０】
また、前記保護部材および前記外装部材をダンボール板で形成してなる構成となっている。
【発明の効果】
【００１１】
本発明によると、電装品箱を保護する保護部材と、空気調和機本体の電装品箱の取付以外の３側面を被う外装部材と、電装品箱の上下を被う平板状の緩衝材とを備えてなる構成とすることにより、空気調和機本体を梱包した状態で側面から落下させてしまった場合でも、本体側面や電装品箱を損傷することなく保護でき、かつ、緩衝材等に特別な金型を使用しないため、金型費用を節約できコスト的に有利となる梱包装置とすることができるようになっている。
【発明を実施するための最良の形態】
【００１２】
以下、本発明の実施の形態を、添付図面に基づいた実施例として詳細に説明する。
図１は本発明による天井カセット型空気調和機の梱包装置の展開斜視図、図２は電装品箱の上下に緩衝材を取付た状態を示す斜視図、図３（Ａ）は梱包手順を示す展開斜視図、図３（Ｂ）は梱包の完成状態を示す斜視図である。
【実施例】
【００１３】
天井カセット型空気調和機本体の梱包装置は図１および図２に示すように、箱型のケース本体１の外側の一側面２に備えられた電装品箱３は、高さおよび横幅の大きさが前記側面２の高さおよび横幅より小さい箱型のものである。そして、前記電装品箱３の前面を保護するダンボール製の保護部材４と、前記ケース本体１の前記電装品箱３の取付面以外の３側面を被うダンボール製の外装部材５と、前記電装品箱３の上下を被う発泡材からなる平板状の緩衝材６と、前記ケース本体１を載置するダンボール製の底部箱形外装体７および、前記ケース本体１の上部を被う上部箱形外装体８とから構成されている。
【００１４】
前記緩衝材６は図２に示すように、左右の幅Ｗが前記ケース本体１の側面の左右両端間の幅と同等であり、また、前後の幅Ｄは前記電装品箱３の前面より突出する平板状に形成されている。
【００１５】
そして、前記保護部材４及び前記外装部材５はダンボール製であり、また前記緩衝材６は板状の発泡材を使用しているので、特別な金型を使用しないため、金型費用を節約できコスト的に有利な梱包装置となる。
【００１６】
図３（Ａ）および（Ｂ）に示すように、前記ケース本体１の梱包方法は、前記電装品箱３に前記保護部材４を挿着すると共に、前記ケース本体１の前記電装品箱３の取付面以外の３側面に前記外装部材５を挿着する。次に、これら挿着状態の前記ケース本体１を前記底部箱形外装体７の上に載置し、前記ケース本体１の天面に前記上部箱形外装体８を被せ、全体を複数のバンド１０からなる結束部材により結束する。
【００１７】
また、前記上部箱形外装体８と前記緩衝材６とが組合された前記電装品箱３側のコーナ部分の下側を手掛け部９としてなる構成となっている。
【００１８】
上記構成において、前記電装品箱３を保護する保護部材４と、前記空気調和機本体１の前記電装品箱３の取付以外の３側面を被う外装部材５と、前記電装品箱３の上下を被う平板状の緩衝材６とを備えてなる構成とすることにより、空気調和機本体を梱包した状態で落下させてしまった場合でも、本体側面に位置する電装品箱を損傷することなく保護することができ、かつ、緩衝材等に特別な金型を使用しないため、金型費用を節約できコスト的に有利な梱包装置となる。
【図面の簡単な説明】
【００１９】
【図１】本発明による天井カセット型空気調和機の梱包装置の展開斜視図である。
【図２】本発明による電装品箱の上下に緩衝材を取付た状態を示す斜視図である。
【図３】本発明による（Ａ）は梱包手順を示す展開斜視図、（Ｂ）は梱包の完成状態を示す斜視図である。
【図４】従来例による天井カセット型空気調和機の梱包装置の展開斜視図である。
【図５】従来例による底板の構成および組立手順を示す図である。
【符号の説明】
【００２０】
１  ケース本体
２  側面
３  電装品箱
４  保護部材
５  外装部材
６  緩衝材
７  底部箱形外装体
８  上部箱形外装体
９  手掛け部
１０  バンド
【図１】
2008068894.tif 000003
【図２】
2008068894.tif 000004
【図３】
2008068894.tif 000005
【図４】
2008068894.tif 000006
【図５】
2008068894.tif 000007